(57)【要約】【課題】家電装置の利用者が意図しない制御が行われるのを回避すること。【解決手段】実施形態に係る家電装置２０は、外部ネットワーク２を介して、各種制御の実行を指示する制御指示を受信する。家電装置２０は、受信した制御指示が指示する制御を実行する。家電装置２０は、外部ネットワーク２以外の経路を介して、利用者から所定の操作を受け付けた場合は、外部ネットワーク２を介して受信される制御指示により指示される制御を差し止める。【選択図】図１
2015050603.tif 000002
【特許請求の範囲】
【請求項１】
外部ネットワークを介して、各種制御の実行を指示する制御指示を受信する受信部と；
前記受信部が受信した制御指示が指示する制御を実行する制御部と；
前記外部ネットワーク以外の経路を介して、利用者から所定の操作を受け付けた場合は、前記外部ネットワークを介して受信される制御指示により指示される制御を差し止める差止部と；
を具備する家電装置。
【請求項２】
前記差止部は、前記利用者から前記所定の操作を受け付けた場合は、前記外部ネットワークを介して前記受信部が受信した制御指示を無視するよう前記制御部に指示することを特徴とする請求項１に記載の家電装置。
【請求項３】
前記差止部は、前記利用者から前記所定の操作を受け付けた場合は、前記制御指示の送信元に対し、前記制御指示の送信を停止するよう指示することを特徴とする請求項１または２に記載の家電装置。
【請求項４】
前記受信部が前記外部ネットワークを介して制御指示を受信した場合は、当該制御指示を受信してから所定の時間が経過するまでの間、通報を行う通報部；
を具備する請求項１〜３のいずれか１項に記載の家電装置。
【請求項５】
前記制御部は、前記受信部が前記外部ネットワークを介して制御指示を受信してから所定の時間が経過するまでの間は、当該制御指示が指示する制御を実行せずに所定の制御を実行することを特徴とする請求項１〜４のいずれか１項に記載の家電装置。
【請求項６】
前記制御部は、前記外部ネットワークを介して制御指示を受信してから所定の時間が経過するまでの間に、前記利用者から前記所定の操作を受け付けた場合は、前記制御指示が指示する制御の実行をキャンセルすることを特徴とする請求項５に記載の家電装置。
【請求項７】
家電装置と、当該家電装置および外部ネットワークに接続されるゲートウェイ装置とを有する家電制御システムにおいて；
前記ゲートウェイ装置は、
前記外部ネットワークから、前記家電装置に対して各種制御の実行を指示する制御指示を受信した場合は、当該制御指示を前記家電装置へ送信する送信部；
を具備し、
前記家電装置は、
前記ゲートウェイ装置から前記制御指示を受信する受信部と；
前記受信部が受信した制御指示が指示する制御を実行する制御部と；
前記外部ネットワーク以外の経路を介して、利用者から所定の操作を受け付けた場合は、前記外部ネットワークを介して受信される制御指示により指示される制御を差し止める差止部と；
を具備する家電制御システム。
【請求項８】
前記家電制御システムは、
前記家電装置と通信可能な端末装置を具備し；
前記端末装置は、
前記利用者からの入力を受け付ける入力部と；
前記入力部が前記利用者からの入力を受け付けた際に、前記所定の操作を受け付けた旨の通知を前記家電装置に対して出力する出力部と；
前記入力部に対する前記利用者の入力を防止する防止部と；
を具備し、
前記差止部は、前記端末装置から前記所定の操作を受け付けた旨の通知を受信した場合は、前記外部ネットワークを介して受信される制御指示により指示される制御を差し止めることを特徴とする請求項７に記載の家電制御システム。
【請求項９】
前記家電制御システムは、
前記家電装置と通信可能な端末装置を具備し；
前記端末装置は、
前記利用者からの入力を受け付ける複数の入力部と；
前記入力部が所定の順番で前記利用者からの入力を受け付けた際に、前記所定の操作を受け付けた旨の通知を前記家電装置に対して出力する出力部と；
を具備し、
前記差止部は、前記端末装置から前記所定の操作を受け付けた旨の通知を受信した場合は、前記外部ネットワークを介して受信される制御指示により指示される制御を差し止めることを特徴とする請求項７または８に記載の家電制御システム。
【請求項１０】
前記差止部は、前記家電装置と前記ゲートウェイ装置との接続、または、前記ゲートウェイ装置と前記外部ネットワークとの接続を切断することを特徴とする請求項７〜９のいずれか１つに記載の家電制御システム。
【発明の詳細な説明】
【技術分野】
【０００１】
本発明の実施形態は、家電装置および家電制御システムに関する。
【背景技術】
【０００２】
近年、空調装置や照明装置等の各種家電装置を外部ネットワークに接続し、外部ネットワークを介して各種家電装置の遠隔操作を可能とする家電制御システムが知られている。このような家電制御システムでは、各家電装置は、近傍に位置する利用者からの指示に従って制御されるだけでなく、外部ネットワークを介した指示に従って、制御される場合がある。しかしながら、通信経路上でノイズが発生した場合、通信経路上の各種装置が故障した場合、外部ネットワークを介した遠隔操作が行われた場合等に、家電装置の近傍に位置する利用者が意図しない制御が行われてしまう恐れがある。
【先行技術文献】
【非特許文献】
【０００３】
【非特許文献１】“ホームITシステム  東芝HEMS  |  東芝ライテック(株)”、［online］、［平成２５年８月２２日検索］、インターネット＜http://feminity.toshiba.co.jp/feminity/index_j.html＞
【発明の概要】
【発明が解決しようとする課題】
【０００４】
本発明が解決しようとする課題は、家電装置の利用者が意図しない制御が行われるのを回避する。
【課題を解決するための手段】
【０００５】
実施形態に係る家電装置は、受信部と、制御部と、差止部とを具備する。受信部は、外部ネットワークを介して、各種制御の実行を指示する制御指示を受信する。制御部は、受信部が受信した制御指示が指示する制御を実行する。差止部は、外部ネットワーク以外の経路を介して、利用者から所定の操作を受け付けた場合は、外部ネットワークを介して受信される制御指示により指示される制御を差し止める。
【図面の簡単な説明】
【０００６】
【図１】図１は、第１の実施形態に係る家電制御システムの構成例を示す図である。
【図２】図２は、第１の実施形態に係る端末装置の一例を示す図である。
【図３】図３は、第１の実施形態に係る端末装置が有する機能構成の一例を示す図である。
【図４】図４は、第１の実施形態に係る照明装置が有する機能構成の一例を示す図である。
【図５】図５は、第１の実施形態に係るゲートウェイ装置が有する機能構成の一例を示す図である。
【図６】図６は、第１の実施形態に係る照明装置が実行する処理の流れを示すフローチャートである。
【図７】図７は、他の実施形態に係る照明装置の機能構成を示す図である。
【発明を実施するための形態】
【０００７】
以下で説明する実施形態に係る家電装置２０は、受信部２７と、制御部２９と、差止部２８とを具備する。受信部２７は、外部ネットワーク２を介して、各種制御の実行を指示する制御指示を受信する。制御部２９は、受信部２７が受信した制御指示が指示する制御を実行する。差止部２８は、外部ネットワーク２以外の経路を介して、利用者から所定の操作を受け付けた場合は、外部ネットワーク２を介して受信される制御指示により指示される制御を差し止める。
【０００８】
また、以下で説明する実施形態に係る差止部２８は、利用者から所定の操作を受け付けた場合は、外部ネットワーク２を介して受信部２７が受信した制御指示を無視するよう制御部２９に指示する。
【０００９】
また、以下で説明する実施形態に係る差止部２８は、利用者から所定の操作を受け付けた場合は、制御指示の送信元に対し、制御指示の送信を停止するよう指示する。
【００１０】
また、以下で説明する実施形態に係る家電装置２０は、通報部２３を具備する。通報部２３は、受信部２７が外部ネットワーク２を介して制御指示を受信した場合は、当該制御指示を受信してから所定の時間が経過するまでの間、通報を行う。
【００１１】
また、以下で説明する実施形態に係る制御部２９は、受信部２７が外部ネットワーク２を介して制御指示を受信してから所定の時間が経過するまでの間は、制御指示が指示する制御を実行せずに所定の制御を実行する。
【００１２】
また、以下で説明する実施形態に係る制御部２９は、外部ネットワーク２を介して制御指示を受信してから所定の時間が経過するまでの間に、利用者から所定の操作を受け付けた場合は、制御指示が指示する制御の実行をキャンセルする。
【００１３】
また、以下で説明する実施形態に係る家電制御システム１は、家電装置２０と、当該家電装置２０および外部ネットワーク２に接続されるゲートウェイ装置３０とを具備する。また、ゲートウェイ装置３０は、外部ネットワーク２から、家電装置２０に対して各種制御の実行を指示する制御指示を受信した場合は、制御指示を家電装置２０へ送信する。また、家電装置２０は、受信部２７と、制御部２９と、差止部２８とを具備する。受信部２７は、ゲートウェイ装置３０から制御指示を受信する。制御部２９は、受信部２７が受信した制御指示が指示する制御を実行する。差止部２８は、外部ネットワーク２以外の経路を介して、利用者から所定の操作を受け付けた場合は、外部ネットワーク２を介して受信される制御指示により指示される制御を差し止める。
【００１４】
また、以下で説明する実施形態に係る家電制御システム１は、家電装置２０と通信可能な端末装置１０を具備する。端末装置１０は、入力部１３と、出力部１１と、防止部１４とを備える。入力部１３は、利用者からの入力を受け付ける。出力部１１は、入力部１３が利用者からの入力を受け付けた際に、所定の操作を受け付けた旨の通知を家電装置２０に対して出力する。防止部１４は、入力部１３に対する利用者の入力を防止する。家電装置２０の差止部２８は、端末装置１０から所定の操作を受け付けた旨の通知を受信した場合は、外部ネットワーク２を介して受信される制御指示により指示される制御を差し止める。
【００１５】
また、以下で説明する実施形態に係る家電制御システム１は、家電装置２０と通信可能な端末装置１０を具備する。端末装置１０は、複数の入力部１３と、出力部１１とを備える。各入力部１３は、利用者からの入力を受け付ける。出力部１１は、入力部１３が所定の順番で利用者からの入力を受け付けた際に、所定の操作を受け付けた旨の通知を家電装置２０に対して出力する。家電装置２０の差止部２８は、端末装置１０から所定の操作を受け付けた旨の通知を受信した場合は、外部ネットワーク２を介して受信される制御指示により指示される制御を差し止める。
【００１６】
また、以下で説明する実施形態に係る差止部２８は、家電装置２０とゲートウェイ装置３０との接続、または、ゲートウェイ装置３０と外部ネットワーク２との接続を切断する。
【００１７】
以下、図面を参照して、実施形態に係る家電制御システム１を説明する。実施形態において同一の部位には同一の符号を付し、重複する説明は省略される。
【００１８】
（第１の実施形態）
まず、図１〜図７を用いて、第１の実施形態に係る家電制御システムについて説明する。
【００１９】
［家電制御システムの構成］
図１は、第１の実施形態に係る家電制御システムの構成例を示す図である。図１に示した家電制御システム１は、宅内やオフィス等に設置された家電装置の制御や監視を実現するシステムである。例えば、家電制御システム１は、ＨＥＭＳ（Home  Energy  Management  System）と呼ばれる場合がある。また、家電制御システム１は、一例として、ＨＥＭＳ標準プロトコルの「ＥＣＨＯＮＥＴ  Ｌｉｔｅ」が適用される場合がある。
【００２０】
図１に示した家電制御システム１は、外部ネットワーク２を介して、制御サーバ３と接続される。また、家電制御システム１は、端末装置１０、家電装置２０、ゲートウェイ装置３０とを有する。なお、家電制御システム１は、家電装置２０以外にも、任意の数の家電装置を有してよい。
【００２１】
家電装置２０は、例えば、冷蔵庫、冷暖房装置、テレビジョンセット、空調装置、洗濯機、給湯器、電気錠、インターホン（ドアホン）などの生活家電、パーソナルコンピュータなどの情報家電、太陽光発電関連機器など、広く家庭電化製品一般である。以下の説明では、家電装置２０は、宅内に設けられた照明装置であるものとし、照明装置２０と記載するが、実施形態は、これに限定されるものではない。
【００２２】
外部ネットワーク２は、家電制御システム１が有するゲートウェイ装置３０と、制御サーバ３とを接続するネットワークであり、ＬＡＮ（Local  Area  Network）、ＷＡＮ（Wide  Area  Network）、インターネット等任意のネットワークである。
【００２３】
制御サーバ３は、家電制御システム１が有する照明装置２０を遠隔操作するサーバである。例えば、制御サーバ３は、照明装置２０の消費電力を収集し、図示を省略した利用者端末等に、収集した消費電力の表示を行う。また、制御サーバ３は、図示を省略した利用者端末等から、照明装置２０に対する各種制御を指示された場合は、照明装置２０を制御するための制御指示を生成し、外部ネットワーク２を介して、家電制御システム１に生成した制御指示を送信する。例えば、制御サーバ３は、省エネルギー制御を実現するため、利用者から指示を受け付けた場合や、所定の時間帯になった場合等は、照明装置２０の消灯を指示する消灯指示を生成し、生成した消灯指示を家電制御システム１に送信する。
【００２４】
［端末装置１０について］
端末装置１０は、照明装置２０と通信可能な端末装置であり、例えば、照明装置２０の消灯、点灯、照度の変更等、各種制御の実行を指示するリモコンである。以下、図２を用いて、端末装置１０の一例について説明する。図２は、第１の実施形態に係る端末装置の一例を示す図である。なお、図２には、端末装置１０の一例を斜視図で記載した。
【００２５】
例えば、端末装置１０は、出力部１１、操作ボタン１２ａ、１２ｂ、切断ボタン１３、防止部１４とを有する。なお、以下の説明では、操作ボタン１２ａ、１２ｂをまとめて操作ボタン１２と記載する場合がある。出力部１１は、端末装置１０から照明装置２０に対し、各種制御の実行を指示する制御指示を出力する出力装置であり、例えば、赤外線により制御指示を照明装置２０へ出力する。
【００２６】
操作ボタン１２は、照明装置２０に対する制御の指示の入力を受け付けるボタンである。詳細には、操作ボタン１２ａは、照明装置２０の照度を上げる旨の指示を受け付けるボタンであり、操作ボタン１２ｂは、照明装置２０の照度を下げる旨の指示を受け付けるボタンである。例えば、出力部１１は、利用者が操作ボタン１２を操作した場合は、操作に応じた制御指示を出力する。
【００２７】
切断ボタン１３は、照明装置２０に対し、外部ネットワーク２と照明装置２０との接続を切断する旨の指示を受け付ける入力部であり、例えば、ボタン等の入力装置である。また、防止部１４は、利用者が容易に切断ボタン１３を押下しないように設置される切断防止機構であり、例えば、切断ボタンを隠すためのカバーである。例えば、出力部１１は、利用者が防止部１４を移動させて切断ボタン１３を端末装置１０の表面に露出させ、その後、切断ボタン１３を押下した場合は、切断指示を照明装置２０に対して出力する。
【００２８】
このように、端末装置１０は、切断ボタン１３の押下を防ぐ防止部１４を有する。このため、端末装置１０は、利用者が切断ボタン１３を安易に押下し、照明装置２０と外部ネットワーク２との接続が安易に切断されるのを防ぐことができる。
【００２９】
［照明装置２０について］
図１に戻り、説明を続ける。照明装置２０は、ＬＥＤ（Light  Emitting  Diode）や蛍光灯等の照明器具を有する照明装置であり、制御サーバ３から外部ネットワーク２およびゲートウェイ装置３０を介して受信した制御指示が指示する制御を照明器具に対して実行する。
【００３０】
例えば、照明装置２０は、外部ネットワーク２およびゲートウェイ装置３０を介して、消灯を示す制御指示を受信した場合は、照明器具を消灯させる。また、照明装置２０は、端末装置１０から制御指示を受信した場合は、受信した制御指示が指示する制御を照明器具に対して実行する。なお、以下の説明では、外部ネットワーク２およびゲートウェイ装置３０を介して、照明装置２０が受信した制御指示を外部からの制御指示と記載する。
【００３１】
ここで、利用者が照明装置２０の近傍に位置する際に、宅外にいる他の利用者の指示によって、制御サーバ３が消灯を示す制御指示を送信した場合等には、利用者が意図しない消灯制御が実行されることによって、利用者に危険が及ぶ場合が考えられる。そこで、照明装置２０は、利用者からの切断指示を端末装置１０から受信した場合は、外部からの制御指示が指示する制御を差し止める。
【００３２】
例えば、照明装置２０は、端末装置１０から切断指示を受信した場合は、外部からの制御指示を無視し、受信された制御指示が指示する制御の実行をキャンセルする。また、例えば、照明装置２０は、ゲートウェイ装置３０と照明装置２０との間の通信経路、または、ゲートウェイ装置３０と外部ネットワーク２との間の接続を切断することで、外部からの制御指示の受信を防ぎ、かかる制御指示が指示する制御を差し止める。ここで、通信経路の切断とは、スイッチ等を用いた物理的な通信経路の切断のみならず、コネクションの破棄等、論理的な通信経路の切断が含まれる。この結果、照明装置２０は、利用者が意図しない制御が実行されるのを防止できる。
【００３３】
また、照明装置２０は、外部からの制御指示を受信した場合は、所定の時間の間、受信した制御指示が示す制御の実行を待機し、所定の処理を実行する。例えば、照明装置２０は、外部からの照明器具の消灯を指示する消灯指示を受信した場合は、照明器具の消灯を行わず、所定の時間の間待機する。また、照明装置２０は、待機している間、照明器具を点滅させる、照明器具の照度を変更する、照明器具の照度を徐々に低下させる等の処理を実行する。このため、照明装置２０は、利用者が意図しない制御指示が受信された旨を通知することができる。
【００３４】
また、照明装置２０は、外部からの制御指示を受信した場合は、所定の時間の間、外部からの制御指示が指示する制御の実行を通報する。例えば、照明装置２０は、スピーカーから警告音を発生させる、所定のインジゲーターに外部からの制御指示が受信された旨を表示する等の通報処理を実行する。
【００３５】
また、照明装置２０は、外部ネットワーク２を介して、制御指示を受信してから所定の時間が経過するまでの間に、端末装置１０から切断指示を受信した場合は、かかる制御指示が指示する制御の実行をキャンセルし、照明装置２０と外部ネットワーク２との接続を切断する。このため、照明装置２０は、利用者が意図しない制御の実行を防ぐことができる。
【００３６】
［ゲートウェイ装置３０について］
ゲートウェイ装置３０は、照明装置２０と外部ネットワーク２とを接続するゲートウェイ装置である。例えば、ゲートウェイ装置３０は、制御サーバ３から外部ネットワーク２を介して、照明装置２０に対する制御指示を受信すると、受信した制御指示を照明装置２０に出力する。また、ゲートウェイ装置３０は、家電制御システム１が有する各種家電装置が相互に行う通信を中継する。
【００３７】
また、ゲートウェイ装置３０は、照明装置２０が端末装置１０から切断指示を受信した場合は、ゲートウェイ装置３０と照明装置２０との通信経路、または、ゲートウェイ装置３０と外部ネットワーク２との接続を切断する。この結果、家電制御システム１は、利用者が意図しない制御の実行を防ぐことができる。
【００３８】
［家電制御システム１の機能構成例について］
以下、図面を用いて、端末装置１０、照明装置２０、ゲートウェイ装置３０の機能構成の一例について説明する。なお、以下の説明は、端末装置１０、照明装置２０、ゲートウェイ装置３０の機能構成を限定するものではなく、同様の機能を発揮することができるのであれば、他の機能構成により実現されてもよい。
【００３９】
［端末装置１０の機能構成の一例］
図３は、第１の実施形態に係る端末装置が有する機能構成の一例を示す図である。図３に示すように、端末装置１０は、出力部１１、操作ボタン１２、切断ボタン１３、受付部１５を有する。出力部１１は、受付部１５から受信した制御指示を照明装置２０に対して出力する。
【００４０】
受付部１５は、操作ボタン１２、および、切断ボタン１３が押下された場合は、制御指示を生成し、生成した制御指示を出力部１１に出力する。例えば、受付部１５は、操作ボタン１２ａが押下された場合は、照度を上げる旨を指示する制御指示を生成し、操作ボタン１２ｂが押下された場合は、照度を下げる旨を指示する制御指示を生成する。また、受付部１５は、切断ボタン１３が押下された場合は、切断指示を生成する。そして、受付部１５は、生成した制御指示または切断指示を出力部１１に出力する。
【００４１】
［照明装置２０の機能構成の一例］
図４は、第１の実施形態に係る照明装置が有する機能構成の一例を示す図である。図４に示すように、照明装置２０は、通信制御部２１、照明制御部２２、通報部２３、ＬＥＤ２４を有する。また、通信制御部２１は、外部ネットワーク通信部２５、端末通信部２６を有する。また、照明制御部２２は、受信部２７、差止部２８、制御部２９を有する。また、通報部２３は、スピーカー２３ａを有する。
【００４２】
通報部２３は、各種制御の実行を通報する通報部である。例えば、通報部２３は、制御部２９から、確認音の出力指示を受信した場合は、スピーカー２３ａから、確認音を出力する。また、通報部２３は、制御部２９から警告音の出力指示を受信した場合は、制御部２９から警告音の停止指示を受信するまでの間、警告音をスピーカー２３ａから出力する。
【００４３】
外部ネットワーク通信部２５は、ゲートウェイ装置３０と照明装置２０との間の通信を制御する。例えば、外部ネットワーク通信部２５は、ゲートウェイ装置３０から外部からの制御指示を受信すると、受信した制御指示を照明制御部２２に出力する。
【００４４】
端末通信部２６は、端末装置１０と照明装置２０との間の通信を制御する。例えば、端末通信部２６は、端末装置１０から制御指示および切断指示を受信すると、受信した制御指示および切断指示を照明制御部２２に出力する。
【００４５】
受信部２７は、外部からの制御指示を受信する。例えば、受信部２７は、外部ネットワーク通信部２５から制御指示を受信した場合は、受信した制御指示を制御部２９に出力するとともに、かかる制御指示が外部からの制御指示である旨を制御部２９に出力する。また、受信部２７は、端末通信部２６から制御指示を受信した場合は、受信した制御指示を制御部２９に出力するとともに、かかる制御指示が端末装置１０からの制御指示である旨を制御部２９に出力する。また、受信部２７は、端末通信部２６から切断指示を受信した場合は、受信した切断指示を差止部２８と制御部２９とに出力する。
【００４６】
差止部２８は、外部ネットワーク２以外の経路を介して、利用者から所定の操作を受け付けた場合は、外部ネットワーク２を介して受信される制御指示により指示される制御を差し止める。例えば、差止部２８は、受信部２７から切断指示を受信すると、所定の差止処理を実行する。
【００４７】
以下、差止部２８が実行する差止処理の例について説明する。例えば、差止部２８は、制御部２９に対し、外部からの制御指示を無視するよう指示することで、外部からの制御指示が指示する制御を差し止める。また、他の例では、差止部２８は、制御サーバ３に対し、照明装置２０に対する制御指示の送信を停止する旨の指示を送信する。
【００４８】
また、他の例では、差止部２８は、外部ネットワーク通信部２５に対し、ゲートウェイ装置３０と照明装置２０との接続を物理的、または、論理的に切断するよう指示する。かかる場合、外部ネットワーク通信部２５は、ゲートウェイ装置３０とのコネクションを破棄する、ゲートウェイ装置３０から受信した制御指示を破棄する、外部からの制御指示を破棄する等の切断処理を実行する。
【００４９】
また、他の例では、差止部２８は、外部ネットワーク通信部２５を介して、ゲートウェイ装置３０に対し、照明装置２０とゲートウェイ装置３０、または、ゲートウェイ装置３０と外部ネットワーク２との接続を物理的、または、論理的に切断するよう指示する。なお、差止部２８は、上述した処理を任意に組合わせて実行し、外部からの制御指示が指示する制御を差し止めてよい。
【００５０】
制御部２９は、制御指示が指示する各種制御を実行する。例えば、制御部２９は、受信部２７から、制御指示と、かかる制御指示が端末装置１０からの制御指示である旨の通知とを受信した場合は、受信した制御指示が示す制御をＬＥＤ２４に対して実行する。例えば、制御部２９は、制御指示が指示する制御内容に応じて、ＬＥＤ２４の点灯、消灯、照度の変更等を実行する。また、制御部２９は、通報部２３に対し、確認音の出力指示を出力する。
【００５１】
一方、制御部２９は、受信部２７から、制御指示と、かかる制御指示が外部からの制御指示である旨の通知とを受信した場合は、警告音の出力指示を通報部２３に出力する。次に、制御部２９は、制御指示を受信してから所定の時間が経過するまでの間、受信した制御指示が指示する制御を実行せずに、ＬＥＤ２４に対して所定の制御を実行する。
【００５２】
また、制御部２９は、制御指示を受信してから、所定の時間が経過するまでの間に、受信部２７から切断指示を受信しなかった場合は、制御指示が指示する制御を実行する。一方、制御部２９は、制御指示を受信してから、所定の時間が経過するまでの間に、受信部２７から切断指示を受信した場合は、制御指示が指示する制御の実行をキャンセルする。その後、制御部２９は、警告音の停止指示を通報部２３に出力する。
【００５３】
例えば、制御部２９は、受信した制御指示がＬＥＤ２４の消灯指示である場合は、単純に制御の待機を行う、ＬＥＤ２４の照度を徐々に落とす、ＬＥＤ２４の照度を所定の値に設定する、ＬＥＤ２４を点滅させる等、ＬＥＤ２４の状態を消灯以外の状態に制御する。そして、制御部２９は、制御指示を受信してから所定の時間が経過するまでの間に、切断指示を受信した場合は、ＬＥＤ２４の照度を元の照度に戻す。一方、制御部２９は、制御指示を受信してから所定の時間が経過するまでの間に、切断指示を受信しなかった場合は、ＬＥＤ２４を消灯させる。
【００５４】
なお、制御部２９は、差止部２８から、外部からの制御指示を無視するよう指示された場合は、それ以降に受信した外部からの制御指示が指示する制御を実行せずに、外部からの制御指示を無視する。
【００５５】
［ゲートウェイ装置３０の機能構成の一例］
図５は、第１の実施形態に係るゲートウェイ装置が有する機能構成の一例を示す図である。図５に示すように、ゲートウェイ装置３０は、外部通信部３１、内部通信部３２、通信制御部３３を有する。
【００５６】
外部通信部３１は、外部ネットワーク２とゲートウェイ装置３０との間の通信を制御する。例えば、外部通信部３１は、外部ネットワーク２から制御指示を受信した場合は、受信した制御指示を通信制御部３３に出力する。
【００５７】
内部通信部３２は、ゲートウェイ装置３０と照明装置２０との間の通信を制御する。例えば、内部通信部３２は、通信制御部３３から外部からの制御指示を受信した場合は、受信した制御指示を照明装置２０へ送信する。また、内部通信部３２は、照明装置２０に対する制御指示の送信を停止する旨の指示、または、照明装置２０とゲートウェイ装置３０との接続を切断する旨の通知、または、ゲートウェイ装置３０と外部ネットワーク２との接続を切断する旨の指示を受信した場合は、受信した各指示を通信制御部３３に出力する。
【００５８】
通信制御部３３は、外部ネットワーク２と照明装置２０との間の通信を制御する。例えば、通信制御部３３は、外部通信部３１から外部からの制御指示を受信すると、受信した制御指示を内部通信部３２に出力する。また、通信制御部３３は、内部通信部３２から受信した各指示に従って、照明装置２０と外部ネットワーク２との接続を切断する。例えば、通信制御部３３は、照明装置２０に対する制御指示の送信を停止する旨の要求を受信した場合は、外部通信部３１と外部ネットワーク２とを介して、制御サーバ３に対し、受信した要求を送信する。
【００５９】
また、通信制御部３３は、ゲートウェイ装置３０と外部ネットワーク２との接続を切断する旨の指示を受信した場合は、外部通信部３１を制御し、外部ネットワーク２を介した通信を停止させる。例えば、通信制御部３３は、外部通信部３１と外部ネットワーク２との間の接続を切断する、または、外部通信部３１と通信制御部３３との接続を切断する等の制御を実行する。
【００６０】
また、通信制御部３３は、照明装置２０とゲートウェイ装置３０との接続を切断する旨の指示を受信した場合は、内部通信部３２を制御し、照明装置２０とゲートウェイ装置３０との通信を停止させる。例えば、通信制御部３３は、内部通信部３２と照明装置２０との間の接続を切断する、または、内部通信部３２に照明装置２０が送信したデータや照明装置２０を宛先とするデータを破棄させる等の制御を実行する。
【００６１】
［照明装置２０による処理の手順］
次に、図６を用いて、照明装置２０が実行する処理の手順の一例について説明する。図６は、第１の実施形態に係る照明装置が実行する処理の流れを示すフローチャートである。なお、図６には、照明装置２０が制御サーバ３から外部ネットワーク２を介して消灯指示を受信した際に実行する処理の流れについて記載したが、実施形態はこれに限定されるものではなく、受信される制御指示に応じて、同様の処理を行ってよい。
【００６２】
例えば、照明装置２０は、消灯指示を受信したか否かを判定し（ステップＳ１０１）、消灯指示を受信していない場合は（ステップＳ１０１：Ｎｏ）、待機後に再度消灯指示を受信したか否かを判定する（ステップＳ１０１）。すなわち、照明装置２０は、消灯指示の受信をポーリングする。また、照明装置２０は、消灯指示を受信した場合は（ステップＳ１０１：Ｙｅｓ）、受信した消灯指示が外部ネットワーク２を介して受信された消灯指示であるか否かを判定する（ステップＳ１０２）。
【００６３】
また、照明装置２０は、受信した消灯指示が外部ネットワーク２を介して受信された消灯指示である場合は（ステップＳ１０２：Ｙｅｓ）、通報処理を実行する（ステップＳ１０３）。詳細には、照明装置２０は、スピーカー２３ａから、警告音を出力する等の通報を行う。また、照明装置２０は、ＬＥＤ２４の照度を所定の値に設定する、ＬＥＤ２４を点滅させる、ＬＥＤ２４の照度を徐々に落とす等、制御指示が指示する制御以外の制御をＬＥＤ２４に対して実行する。
【００６４】
また、照明装置２０は、端末装置１０から切断指示を受信したか否かを判定し（ステップＳ１０４）、切断指示を受信していないと判断した場合は（ステップＳ１０４：Ｎｏ）、消灯指示を受信してから一定時間が経過したか否かを判定する（ステップＳ１０５）。そして、照明装置２０は、消灯指示を受信してから一定時間が経過していないと判断した場合は（ステップＳ１０５：Ｎｏ）、ステップＳ１０３を実行する。
【００６５】
ここで、照明装置２０は、切断指示を受信した場合は（ステップＳ１０４：Ｙｅｓ）、外部ネットワーク２と照明装置２０との接続を切断する外部ネットワーク切断制御を実行し（ステップＳ１０６）、ＬＥＤ２４の消灯の実行をキャンセルし（ステップＳ１０７）、処理を終了する。一方、照明装置２０は、消灯指示を受信してから一定時間が経過した場合は（ステップＳ１０５：Ｙｅｓ）、ＬＥＤ２４を消灯し（ステップＳ１０８）、処理を終了する。なお、照明装置２０は、受信した消灯指示が外部ネットワーク２からの消灯指示ではない場合は（ステップＳ１０２：Ｎｏ）、ＬＥＤ２４を消灯し（ステップＳ１０８）、処理を終了する。
【００６６】
［照明装置２０の効果］
上述したように、照明装置２０は、受信部２７、差止部２８、制御部２９を有する。受信部２７は、外部ネットワーク２を介して、制御指示を受信する。制御部２９は、受信部２７が受信した制御指示が指示する制御を実行する。また、差止部２８は、外部ネットワーク２以外の経路を介して、利用者から所定の操作を受け付けた場合は、外部ネットワーク２を介して受信される制御指示の実行を差し止める。この結果、照明装置２０は、利用者が意図しない制御が行われるのを回避することができるので、例えば、利用者の安全を保護することができる。
【００６７】
また、制御サーバ３は、消灯指示を送信し、照明装置２０を消灯させた際に、利用者が照明装置２０を点灯させると、照明装置２０の状態が消灯状態にならないため、再度消灯指示を送信する場合がある。この結果、照明装置２０は、制御サーバ３からの消灯指示と利用者からの点灯指示とを交互に受信するため、チャタリングが発生する場合がある。しかしながら、照明装置２０は、利用者から端末装置１０を介して切断指示を受信すると、外部ネットワーク２との接続を切断し、制御サーバ３からの制御指示が指示する制御を差し止めるので、かかるチャタリングを解消することができる。
【００６８】
また、差止部２８は、利用者から所定の操作を受け付けた場合は、外部ネットワーク２を介して受信された制御指示を無視する旨の指示を制御部２９に出力する。このため、差止部２８は、外部ネットワーク２を介して受信された制御指示が指示する制御の実行を防ぐので、利用者が意図しない制御が行われるのを防ぐことができる。
【００６９】
また、差止部２８は、利用者から所定の指示を受け付けた場合は、制御サーバ３やゲートウェイ装置３０等、制御指示の送信元に制御指示の送信を停止するよう指示する。このため、差止部２８は、利用者が意図しない制御が行われるのを防ぐことができる。
【００７０】
また、照明装置２０は、通報部２３を有する。通報部２３は、外部ネットワーク２を介して制御指示が受信された場合は、制御指示を受信してから所定の時間が経過するまでの間、通報を行う。このため、照明装置２０は、外部ネットワーク２を介して制御指示が受信された旨を周囲の利用者に通報することができる。
【００７１】
なお、近年の照明装置２０は、端末装置１０による制御指示の確認音を出力するためのスピーカー２３ａを予め有している。このため、照明装置２０にかかるスピーカー２３ａから警告音を出力することにより、外部ネットワーク２を介して制御指示が受信された旨を通報した場合は、装置の規模を増大させることなく、周囲の利用者に通報を行うことができる。
【００７２】
また、制御部２９は、外部ネットワーク２を介して制御指示が受信されてから所定の時間が経過するまでの間は、かかる制御指示が指示する制御を実行せずに、所定の制御を実行する。例えば、制御部２９は、ＬＥＤ２４の消灯指示を受信した場合は、ＬＥＤ２４を消灯せず、ＬＥＤ２４の照度を所定の値に設定する、ＬＥＤ２４を点灯させる、ＬＥＤ２４の照度を徐々に落とす等の処理を実行する。このため、照明装置２０は、外部からの制御指示によって、利用者が意図しない制御が突然実行されるのを防ぐことができる。また、照明装置２０は、外部からの制御指示が受信された旨を利用者に通報することができる。この結果、例えば、照明装置２０は、外部からの制御指示によって突然消灯する等の制御を防ぐので、周囲の利用者の安全を確保できる。
【００７３】
また、制御部２９は、外部ネットワーク２を介して制御指示が受信されてから所定の時間が経過するまでの間に、利用者から所定の操作を受け付けた場合は、受信された制御指示が指示する制御の実行をキャンセルする。例えば、制御部２９は、外部からの制御指示を受信してから所定の時間が経過するまでの間に、利用者が端末装置１０の切断ボタン１３を押下することで、切断指示が受信された場合は、外部からの制御指示が指示する制御の実行をキャンセルする。このため、制御部２９は、利用者の発意により、利用者が意図しない制御の実行をキャンセルできる。
【００７４】
また、家電制御システム１は、照明装置２０とゲートウェイ装置３０とを有する。ここで、ゲートウェイ装置３０は、外部ネットワーク２から制御指示を受信すると、受信した制御指示を照明装置２０に対して送信する。また、照明装置２０は、受信部２７、差止部２８、制御部２９を有する。受信部２７は、ゲートウェイ装置３０から制御指示を受信する。制御部２９は、受信部２７が受信した制御指示が指示する制御を実行する。また、差止部２８は、外部ネットワーク２以外の経路を介して、利用者から所定の操作を受け付けた場合は、外部ネットワーク２を介して受信される制御指示の実行を差し止める。このため、照明装置２０は、利用者が意図しない制御が行われるのを回避できる。
【００７５】
また、家電制御システム１は、照明装置２０と通信可能な端末装置１０を有する。また、端末装置１０は、出力部１１、切断ボタン１３、防止部１４を有する。切断ボタン１３は、利用者から切断指示の入力を受け付ける。出力部１１は、切断ボタン１３が入力を受け付けた場合は、切断指示を照明装置２０へ送信する。防止部１４は、切断ボタン１３に対する入力を防止する。そして、照明装置２０の差止部２８は、切断指示を受信すると、外部ネットワーク２を介して受信される制御を差し止める。このため、家電制御システム１は、利用者が容易に外部ネットワーク２との切断を指示することができる。また、家電制御システム１は、利用者が誤って切断ボタン１３を押下しないよう、防止部１４を端末装置１０に具備するので、利用者の誤操作を防ぐことができる。
【００７６】
また、差止部２８は、照明装置２０とゲートウェイ装置３０との接続、または、ゲートウェイ装置３０と外部ネットワーク２との接続を切断する。このため、家電制御システム１は、利用者が意図しない制御を指示する制御指示の受信を防ぐことができる。
【００７７】
（他の実施形態）
上述してきた家電制御システム１は、上記実施形態以外にも種々の異なる形態にて実施されてよい。そこで、以下では、上記の家電制御システム１の様々な変形例について説明する。
【００７８】
［照明装置２０の変形例］
上述した照明装置２０は、外部からの制御指示を受信すると、スピーカー２３ａから警告音を出力することで、外部からの制御指示を受信した旨を周囲の利用者に通報した。しかしながら、実施形態は、これに限定されるものではない。すなわち、照明装置２０は、周囲の利用者に外部からの制御指示を受信した旨を通報できるのであれば、任意の形式で通報を行ってよい。
【００７９】
また、照明装置２０は、端末装置１０が具備する切断ボタン１３が利用者によって押下された場合は、照明装置２０と外部ネットワーク２との接続を切断し、外部からの制御指示が指示する制御の実行を差し止めた。しかしながら、実施形態は、これに限定されるものではない。例えば、照明装置２０は、端末装置１０と同様に切断ボタン１３を具備し、利用者によって切断ボタン１３が押下された際に、照明装置２０と外部ネットワーク２との接続を切断してもよい。
【００８０】
例えば、図７は、他の実施形態に係る照明装置の機能構成を示す図である。図７に示すように、照明装置２０ａは、切断ボタン１３を有する。また、通報部２３は、スピーカー２３ａに加えて、表示部２３ｂを有する。ここで、表示部２３ｂは、外部からの制御指示が受信された旨を表示するためのインジケーターである。なお、表示部２３ｂは、例えば、液晶表示装置等、外部からの制御指示が受信された旨を文字やマーク等で表示するインジケーターであるが、点灯や点滅により外部からの制御指示が受信された旨を示すＬＥＤや電球等であってもよい。
【００８１】
差止部２８ａは、図４に例示した差止部２８と同様の機能を発揮する。また、差止部２８ａは、切断ボタン１３が押下された場合は、切断指示を受信したものとして、差止処理を実行する。
【００８２】
また、制御部２９ａは、外部からの制御指示を受信部２７から受信した場合は、通報部２３に対し、警告音の出力指示を出力するとともに、警告表示の出力指示を合せて出力する。この結果、通報部２３は、スピーカー２３ａから警告音を出力するとともに、表示部２３ｂに、外部からの制御指示が受信された旨を表示させる。
【００８３】
なお、照明装置２０ａは、通報部２３が有するスピーカー２３ａや表示部２３ｂを用いた通報以外にも、例えば、ＬＥＤ２４の色を変更する、ＬＥＤ２４を点滅させる、ＬＥＤ２４の照度を所定の値に設定する等の制御を実行することで、外部からの制御指示が受信された旨を通報することができる。また、照明装置２０ａは、端末装置１０、家電制御システム１が有する各種表示装置、予め登録された利用者の携帯端末等を介して、通報を行っても良い。
【００８４】
［切断ボタンの変形例］
上述した端末装置１０は、１つの切断ボタン１３を有し、切断ボタン１３が押下された場合は、切断指示を照明装置２０に出力した。しかしながら、実施形態は、これに限定されるものではない。例えば、切断ボタン１３は、利用者が容易に押下することができないように、他の操作ボタン１２よりも操作に要する力を大きくしてもよい。
【００８５】
また、端末装置１０は、複数の切断ボタン１３を有し、各切断ボタン１３が所定の順序に押下された際に、切断指示を照明装置２０に送信してもよい。また、照明装置２０ａも同様に、複数の切断ボタン１３を有し、各切断ボタン１３が所定の順序に押下された際に、外部ネットワーク２と照明装置２０ａとの接続を切断してもよい。
【００８６】
このように、端末装置１０は、複数の切断ボタン１３を有し、各切断ボタン１３が所定の順序に押下された際に、切断指示を照明装置２０に送信するので、利用者の誤操作により外部ネットワーク２と照明装置２０との接続が切断されるのを防止することができる。
【００８７】
［外部からの制御指示を受信した際の所定の制御について］
上述した照明装置２０は、外部からの制御指示を受信すると、受信した制御指示が示す制御を実行せず、所定の制御を実行した。例えば、照明装置２０は、ＬＥＤ２４の消灯指示を受信すると、ＬＥＤ２４の照度を所定の値に設定する、ＬＥＤ２４を点灯させる、ＬＥＤ２４の照度を徐々に落とす等の処理を実行した。しかしながら、実施形態は、これに限定されるものではない。
【００８８】
すなわち、照明装置２０は、ＬＥＤ２４の消灯指示を受信した場合は、一定時間、ＬＥＤ２４を消灯以外の任意の状態に制御し、一定時間が経過した後に、ＬＥＤ２４を消灯させればよい。また、例えば、照明装置２０は、ＬＥＤ２４の点灯指示を受信した場合は、一定時間の間、ＬＥＤ２４の照度を徐々に上昇させ、一定時間が経過した後に、ＬＥＤ２４を点灯させても良い。
【００８９】
なお、照明装置２０がＬＥＤ２４を消灯以外の任意の状態に制御する時間間隔は、利用者が自由に設定することができる。また、照明装置２０がＬＥＤ２４の照度を徐々に落とす際の下限値を設定可能としてもよい。このように、照明装置２０が外部から制御指示を受信した際に、所定の処理を実行する時間間隔や、ＬＥＤ２４の照度の下限値を設定可能とすることで、利用者が意図しない消灯が行われ、利用者に危険が及ぶのを防ぐことができる。
【００９０】
［切断指示について］
上述した照明装置２０は、外部からの制御指示を受信した場合は、一定時間待機し、待機中に端末装置１０から切断指示を受信した場合は、外部ネットワーク２からの制御指示が示す制御の実行をキャンセルするとともに、外部ネットワーク２と照明装置２０との接続を切断した。しかしながら、実施形態は、これに限定されるものではない。
【００９１】
例えば、照明装置２０は、待機中に、端末装置１０から、ＬＥＤ２４の照度の変更、ＬＥＤ２４の点灯指示、ＬＥＤ２４の消灯指示等、利用者が任意の操作を行った場合は、外部ネットワーク２からの制御指示が示す制御の実行をキャンセルしてもよい。また、端末装置１０は、ＬＥＤ２４の照度を徐々に低下させた際に、利用者が照度を上昇させた場合等、待機中に実行する制御と逆の制御を利用者が指示した場合に、外部ネットワークからの制御指示が示す制御の実行をキャンセルしてもよい。
【００９２】
［制御指示と家電装置との関係について］
上述した例では、ＬＥＤ２４の点灯、消灯、照度の変更等を指示する制御指示を照明装置２０が受信した際の処理について記載した。しかしながら、実施形態は、これに限定されるものではない。例えば、家電制御システム１は、空調装置や給湯器等に照明装置２０と同様の機能を発揮させることで、例えば、室温や給湯温度の急激な上昇等、利用者が意図しない制御の実行を防ぐことができる。このため、例えば、家電制御システム１は、利用者の安全を図ることができる。
【００９３】
また、例えば、制御サーバ３は、通常の様態において、省エネルギーを考慮し、所定の要件が満たされた際に照明装置２０に対して消灯指示を送信すると考えられるが、かかる処理以外にも、例えば、防犯処理のために、照明装置２０に対して点灯指示を送信する場合も考えられる。しかしながら、かかる制御が利用者の意図しないものである場合は、利用者にとって不快なだけではなく、利用者に不測の危険を及ぼす場合がある。
【００９４】
そこで、照明装置２０は、外部ネットワーク２を介して各種制御指示を受信した場合は、一定時間の間、制御の実行を待機し、通報を行い、利用者からの操作を待ち合わせるので、利用者の意図しない制御の実行を防止し、利用者の安全を図ることができる。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１  家電制御システム
２  外部ネットワーク
３  制御サーバ
１０  端末装置
１１  出力部
１２  操作ボタン
１３  切断ボタン
１４  防止部
１５  受付部
２０、２０ａ  照明装置
２１  通信制御部
２２  照明制御部
２３  通報部
２３ａ  スピーカー
２３ｂ  表示部
２４  ＬＥＤ
２５  外部ネットワーク通信部
２６  端末通信部
２７  受信部
２８、２８ａ  差止部
２９、２９ａ  制御部
３０  ゲートウェイ装置
３１  外部通信部
３２  内部通信部
【図１】
2015050603.tif 000003
【図２】
2015050603.tif 000004
【図３】
2015050603.tif 000005
【図４】
2015050603.tif 000006
【図５】
2015050603.tif 000007
【図６】
2015050603.tif 000008
【図７】
2015050603.tif 000009